(57)【要約】
【課題】  消火器の車体への取り付けおよび取り外し操作を容易にする。
【解決手段】  消火器Ｆを出し入れする開口部を上方に有する箱状体１０と、この開口部を塞ぐ閉状態と開口部を開放する開状態とをとることができるように開閉自在に取り付けられた蓋状体２０と、を有する本体部を、接続部３０を介して、タンクローリの車体４０に傾斜させて取り付ける。側壁１１の内部には、消火器Ｆの円柱状側面に嵌合する支持金具１８を設ける。収容された消火器Ｆは、その長手方向軸Ｅが、タンクローリの走行路面Ｒに立てた法線Ｎに対して４０度ほど傾斜するので、自重により倒れかかるようにして、支持金具１８に嵌合し、定位置に保持される。従来のように、ベルトで固定することなしに、タンクローリに積載することができる。
【選択図】  図３
0003101235.tif 000002
【実用新案登録請求の範囲】
【請求項１】
タンクローリに積載する消火器を収容するケースであって、
上方に消火器を出し入れする開口部を有し、消火器を立てた状態で収容する箱状体と、前記開口部を塞ぐ閉状態と前記開口部を開放する開状態とをとることができるように開閉自在に前記箱状体に取り付けられた蓋状体と、を有する本体部と、
前記箱状体に収容された消火器の長手方向軸が、タンクローリの走行路面に立てた法線に対して傾斜した状態を維持するように、前記本体部を傾斜させた状態でタンクローリの車体に固定する接続部と、
を備えることを特徴とするタンクローリ用消火器ケース。
【請求項２】
請求項１に記載の消火器ケースにおいて、
上面が開口部となったほぼ直方体形状の箱状体と、この箱状体の背面側の側壁に対して蝶番によって揺動自在に取り付けられた蓋状体と、によって、本体部を構成し、前記蓋状体を閉状態に固定する固定金具を、前記箱状体の正面側の側壁およびその隣接位置にくる前記蓋状体の一部に設けたことを特徴とするタンクローリ用消火器ケース。
【請求項３】
請求項１または２に記載の消火器ケースにおいて、
箱状体を構成する側壁のうち、収容されている消火器が倒れかかる側壁の内側に、消火器の円柱状側面に嵌合する支持金具を設けたことを特徴とするタンクローリ用消火器ケース。
【考案の詳細な説明】
【技術分野】
【０００１】
本考案は、タンクローリ用消火器ケースに関し、特に、法令で携行が義務づけられている消火器を、タンクローリの車体に積載するために用いるケースに関する。
【背景技術】
【０００２】
ガソリンをはじめとする引火性液体を輸送するためのタンクローリには、万一の事故を防止するため、法令上、様々な義務が課せられている。たとえば、法令では、タンクローリに対して、所定の条件を備えた消火器を積載することを義務づけている。また、ガソリンスタンドなどで、タンクローリから引火性液体の積み下ろしを行う際には、積載していた消火器を、直ちに利用可能な位置に配置して作業を行うことが義務づけられている。
【０００３】
一般に、消火器は、ほぼ円柱状の金属製容器の中に消火液を充填した構造を有し、車両等に積載して輸送する場合、転倒すると転がる危険性がある。このため、商品としての消火器をトラックなどで輸送する場合、専用の搬送用ケースが利用されることが多い。たとえば、下記の特許文献には、このような専用の消火器搬送用容器が開示されている。
【特許文献１】特開２００３−３００５７５号公報
【考案の開示】
【考案が解決しようとする課題】
【０００４】
タンクローリには、一般のトラックのような荷台が設けられているわけではないので、タンクローリに消火器を積載する場合に、通常のトラック輸送用の消火器ケースを転用するのは不適切である。そのため、従来は、タンクローリの車体の一部に、消火器をベルトで固定するような積載方法が取られていた。
【０００５】
しかしながら、上述したように、ガソリンスタンドなどで、タンクローリから引火性液体の積み下ろしを行う際には、積載していた消火器を、直ちに利用可能な位置に配置して作業を行うことが義務づけられている。このため、作業員は、積み下ろし作業を行うたびに、タンクローリの車体にベルトで固定されていた消火器を取り外して所定位置に配置し、作業が完了したら、再び、取り外した消火器を車体にベルトで固定する、という操作を行っているのが現状である。
【０００６】
そこで、本考案は、タンクローリの車体への取り付けおよび取り外し操作を容易に行うことができるタンクローリ用消火器ケースを提供することを目的とする。
【課題を解決するための手段】
【０００７】
(1)   本考案の第１の態様は、タンクローリに積載する消火器を収容するためのタンクローリ用消火器ケースにおいて、
上方に消火器を出し入れする開口部を有し、消火器を立てた状態で収容する箱状体と、この箱状体の開口部を塞ぐ閉状態と開口部を開放する開状態とをとることができるように開閉自在に箱状体に取り付けられた蓋状体と、を有する本体部と、
箱状体に収容された消火器の長手方向軸が、タンクローリの走行路面に立てた法線に対して傾斜した状態を維持するように、本体部を傾斜させた状態でタンクローリの車体に固定する接続部と、
を設けるようにしたものである。
【０００８】
(2)   本考案の第２の態様は、上述の第１の態様に係るタンクローリ用消火器ケースにおいて、
上面が開口部となったほぼ直方体形状の箱状体と、この箱状体の背面側の側壁に対して蝶番によって揺動自在に取り付けられた蓋状体と、によって、本体部を構成し、蓋状体を閉状態に固定する固定金具を、箱状体の正面側の側壁およびその隣接位置にくる蓋状体の一部に設けるようにしたものである。
【０００９】
(3)   本考案の第３の態様は、上述の第１または第２の態様に係るタンクローリ用消火器ケースにおいて、
箱状体を構成する側壁のうち、収容されている消火器が倒れかかる側壁の内側に、消火器の円柱状側面に嵌合する支持金具を設けるようにしたものである。
【考案の効果】
【００１０】
本考案に係るタンクローリ用消火器ケースによれば、タンクローリがほぼ水平な通常路面を走行していれば、消火器は箱状体の内部で側壁に寄り掛かるような形態で保持されることになるので、ベルトで固定する必要はなくなる。また、蓋状体を開状態にすれば、消火器を上方の開口部から容易に出し入れすることができる。
【考案を実施するための最良の形態】
【００１１】
以下、本考案を図示する実施形態に基づいて説明する。図１は、本考案の一実施形態に係るタンクローリ用消火器ケースの本体部を示す斜視図である。この本体部は、タンクローリに積載する消火器を立てた状態で収容する容器として機能し、図示のとおり、箱状体１０と蓋状体２０とによって構成されている。
【００１２】
箱状体１０は、上方に消火器を出し入れする開口部Ｋを有しており、円柱状の形態をもった消火器を立てた状態で収容することができる。図示の実施形態の場合、箱状体１０は、上面に開口部Ｋが形成されたほぼ直方体形状をしている。すなわち、箱状体１０は、正面側の側壁１１、背面側の側壁１２、左側の側壁１３、右側の側壁１４なる４枚の側壁と、底板１５を主たる構成要素としている箱状の構造体である。ただし、正面側の側壁１１の上方部分は、突出部１６を形成しており、手前側に若干突き出した構造になっている。これは、上面の開口部Ｋの面積を広げ、できるだけ消火器の出し入れを容易にするための配慮である。
【００１３】
一方、蓋状体２０は、開口部Ｋを塞ぐための蓋として機能するように、箱状体１０に開閉自在に取り付けられた構成要素である。図示の例の場合、蓋状体２０は、箱状体１０の背面側の側壁１２の上部に対して蝶番によって取り付けられており、図に一点鎖線で示す回動軸Ｘを中心軸として揺動自在となっている。この蓋状体２０を回動軸Ｘに関して揺動させることにより、図１に示すように、開口部Ｋを開放する開状態をとることもできるし、図２に示すように、開口部Ｋを塞ぐ閉状態をとることもできるようになっている。蓋状体２０に取り付けられた取っ手２１は、蓋状体２０の揺動運動、すなわち、開閉操作を容易に行うためのものである。また、取っ手２１の下方位置には固定金具２２が取り付けられており、突出部１６に取り付けられているもう一方の固定金具１７と係合するようになっている。すなわち、図２に示すように、蓋状体２０を閉状態にすると、固定金具２２は、固定金具１７の隣接位置にきて係合し、両固定金具をロック状態にすることができる。これにより、蓋状体２０を閉状態に固定することができる。もちろん、両固定金具を操作してロック状態を解除すれば、蓋状体２０を開状態にすることができる。
【００１４】
図１に示されているとおり、箱状体１０を構成する正面側の側壁１１の内側には、内部に収容した消火器を支持するための支持金具１８が設けられている。また、底板１５には、水抜き用の貫通孔Ａが形成されており、内部に入り込んだ雨水などを外部に逃がす構造になっている。なお、背面側の側壁１２に形成されている４つの貫通孔Ｂは、後述するように、タンクローリの車体への取り付けに利用されるボルトによる取付用の貫通孔である。また、小型のビスＣ，Ｄは、いずれも箱状体１０と蓋状体２０とを揺動自在に係合するための蝶番（図示されていない）への取り付け用ビスである。
【００１５】
以上、箱状体１０と蓋状体２０とによって構成される本体部の基本構造を説明したが、本考案の特徴は、このような構造をもった本体部を、タンクローリの車体に傾斜して取り付けるようにした点にある。この取り付けには、接続部３０が用いられる。図３は、タンクローリの車体４０（一部の構造部分を断面として示す）に、接続部３０を介して、本体部（具体的には、箱状体１０の背面側の側壁１２）を、タンクローリの車体４０へと固定した状態を示す側面図である。接続部３０は、側面からみると、図示のとおり台形状の構造体であり、実際には、図の奥行き方向にも若干の幅を有している。図１に示すように、箱状体１０の背面側の側壁１２には、４カ所に取付用の貫通孔Ｂが設けられており、接続部３０側の対応位置にも、同様に貫通孔が設けられている。これらの貫通孔にボルトを通して固定することにより、箱状体１０は接続部３０にしっかりと固定される。また、接続部３０は、タンクローリの車体４０に対して、ボルトあるいは溶接などの方法でしっかりと固定されている。
【００１６】
ここで重要な点は、箱状体１０が傾斜した状態で取り付けられている点である。図３において、一点鎖線Ｒは、タンクローリの走行路面を示している。この例では、図にハッチングが施されたタンクローリの車体４０の外側面は、走行路面Ｒに対して垂直な面になっているため、走行路面Ｒに立てた法線Ｎは、このタンクローリの車体４０の外側面を通る線になっている。箱状体１０は、この法線Ｎに対して所定角度（この例では４０度）だけ傾斜した状態で取り付けられている。より厳密にいえば、箱状体１０内に、立てた状態で収容された消火器Ｆ（図では破線で示す）の長手方向軸Ｅが、タンクローリの走行路面Ｒに立てた法線Ｎに対して傾斜した状態が維持されるようになっている。
【００１７】
通常、タンクローリの走行路面Ｒは、ほぼ水平な面になるので、図３において、重力は図の下方向に作用した状態になる。このため、箱状体１０内に収容された消火器Ｆは、箱状体１０を構成する１つの側壁（図示の例では、正面側の側壁１１）に、自重により倒れかかる状態になる。ところが、前述したとおり、正面側の側壁１１の内側には、支持金具１８が取り付けられているため、消火器Ｆは、この支持金具１８によって支持された状態になる。
【００１８】
図４は、箱状体１０内に収容されている消火器Ｆが、支持金具１８によって支持されている状態を示す斜め上面図（図３に示す軸Ｅの方向から見た図）である。ここでは、説明の便宜上、蓋状体２０を取り去ったときの状態を示している。図３に示すように、箱状体１０が傾斜した状態で固定されているため、消火器Ｆは自重により、固定金具１８に接触する方向へと倒れかかっている。しかも、固定金具１８は、消火器Ｆの円柱状側面に嵌合する形状を有しているため、図４において、消火器Ｆは、固定金具１８によって、左右方向への動きも制限されることになる。
【００１９】
このように、箱状体１０を傾斜させて取り付けるようにしたため、消火器Ｆはその自重により、箱状体１０を構成する１つの側壁にもたれかかる状態で保持されることになる。固定金具１８を設けなくても、消火器Ｆは、側壁１１にもたれかかるようにして保持されることになるが、実用上は、図示のような形状の固定金具１８を設けておき、タンクローリが悪路を走行した場合に生じる振動によっても、消火器Ｆをその自重により所定位置に支持することができるようにするのが好ましい。
【００２０】
上述のような構造をもつタンクローリ用消火器ケースを用いれば、消火器Ｆをベルトで固定するようなことをしなくても、消火器Ｆを安定した状態で搬送することが可能である。前述したとおり、蓋状体２０は、固定金具１７，２２によって、閉状態に固定することが可能であるため、搬送中、消火器Ｆは本体部内に確実に保持されることになり、外部に飛び出す危険性はない。また、多少の振動があったとしても、消火器Ｆの自重により、図４に示す定位置に安定して保持されることになる。もちろん、急勾配の路面を走行中や、路面上の段差部を通過したような場合は、一時的に、消火器Ｆが定位置を外れることもあるが、平坦な通常路面の走行に戻れば、消火器Ｆは再び図４に示す定位置に戻ることになるので問題は生じない。
【００２１】
ガソリンスタンドなどで、タンクローリから引火性液体の積み下ろしを行う際には、既に述べたとおり、消火器Ｆを、直ちに利用可能な位置に下ろして作業を行うことが義務づけられているが、この場合、固定金具１７，２２を解除して、蓋状体２０を開状態にすれば、収容されていた消火器Ｆを容易に出し入れすることが可能である。図４に示すとおり、収容されている状態の消火器Ｆの周囲にはある程度の空間が確保されているため、この出し入れの作業は非常に大ざっぱな作業で十分である。元通り収容する場合も、箱状体１０内に消火器Ｆを大ざっぱに入れれば、自重により、図４に示す定位置に自然に収容された状態になる。従来は、積み下ろし作業を行うたびに、タンクローリの車体にベルトで固定されていた消火器を取り外し、作業が完了したら、再び、取り外した消火器を車体にベルトで固定する、という操作を行っていたが、本考案に係るタンクローリ用消火器ケースを用いれば、そのような労力が大幅に軽減されることになる。
【００２２】
なお、定位置にある状態の消火器Ｆの長手方向軸Ｅと、タンクローリの走行路面Ｒに立てた法線Ｎとのなす角は、図示の例では４０度にとっているが、本考案を実施する上で、この角度を必ずしも４０度に設定する必要はない。この角度は、たとえば、３０度に設定してもよいし、５０度に設定してもかまわない。ただ、角度があまり小さくても、逆に、あまり大きくても、自重による倒れ込み効果に基づく安定性が損なわれることになるので、本願考案者は、４０度くらいが最適な角度ではないかと考えている。
【００２３】
また、本考案に係るタンクローリ用消火器ケースの材質は、ある程度の堅牢性を有する材質であれば、特に限定されることはないが、実用上は、ステンレス，アルミニウム，鉄などの金属を用いるのが好ましい。
【図面の簡単な説明】
【００２４】
【図１】本考案の一実施形態に係るタンクローリ用消火器ケースの本体部を開状態にした斜視図である。
【図２】本考案の一実施形態に係るタンクローリ用消火器ケースの本体部を閉状態にした斜視図である。
【図３】図２に示す本体部を、接続部３０を介してタンクローリの車体４０へと固定した状態を示す側面図である。
【図４】箱状体１０内に収容されている消火器Ｆが、支持金具１８によって支持されている状態を示す斜め上面図（図３に示す軸Ｅの方向から見た図）である（蓋状体２０を取り去ったときの状態が示されている）。
【符号の説明】
【００２５】
１０…箱状体
１１…正面側の側壁
１２…背面側の側壁
１３…左側の側壁
１４…右側の側壁
１５…底板
１６…突出部
１７…固定金具
１８…支持金具
２０…蓋状体
２１…取っ手
２２…固定金具
３０…接続部
４０…タンクローリの車体
Ａ…水抜き用の貫通孔
Ｂ…取付用の貫通孔
Ｃ…蝶番への取り付け用ビス
Ｄ…蝶番への取り付け用ビス
Ｅ…箱状体に立てた状態で収容された消火器Ｆの長手方向軸
Ｆ…消火器
Ｋ…開口部
Ｎ…タンクローリの走行路面に立てた法線
Ｒ…タンクローリの走行路面
Ｘ…揺動運動の回動軸
【図１】
0003101235.tif 000003
【図２】
0003101235.tif 000004
【図３】
0003101235.tif 000005
【図４】
0003101235.tif 000006